(57)【特許請求の範囲】
【請求項１】
複数のサポートと、これらのサポートにそれぞれ後端部が支持された縦姿勢の板状であって先端に孔を形成したブラケットと、これらのブラケットに支持された棚部材と、前記ブラケットの前記孔に挿入する引掛部を有し前記孔に対して前記引掛部を回動することにより前記ブラケットの上端に係止する係合部を有する器具支持具とを備えた棚装置。
【請求項２】
前記器具支持具は、前記ブラケットの側面内で前記孔を中心に回動して前記ブラケットに係止する請求項１記載の棚装置。
【請求項３】
前記器具支持具は、前記ブラケットの側面に垂直な方向に回動して前記ブラケットに係止する請求項１記載の棚装置。
【請求項４】
複数のサポートと、これらのサポートにそれぞれ後端部が支持された縦姿勢の板状であって先端に孔を形成したブラケットと、前記孔に摺動自在に貫通した支持具と、これらの支持具に両端が外嵌する筒状のバーと、このバーを前記支持具に止めるねじとを備えた棚装置。
【請求項５】
縦姿勢の板状であって横方向にずれた複数の係止爪を後端部に有する複数のブラケットと、前記複数の係止爪をそれぞれ係止する複数の係止孔を前面に有する複数のサポートと、前記複数のブラケットに支持される棚部材とを備えた棚装置。
【請求項６】
前記ブラケットは、前記係止爪の各々を後端部に一体に形成した複数の垂直部と、これらの垂直部の上下方向の隣接端を連接する段部とを有する請求項５記載の棚装置。
【請求項７】
縦方向に延びた係止レールおよびこの係止レールに沿って設けた複数の係止孔を前面に有する複数のサポートと、前記係止孔に係止する係止爪および前記係止レールに係合する係止部をそれぞれ後端部に有する複数のブラケットと、これらのブラケットに支持される棚部材とを備えた棚装置。
【発明の詳細な説明】
【０００１】
【産業上の利用分野】
この発明は、棚装置に関するものである。
【０００２】
【従来の技術】
従来例を図３６ないし図３８に示す。すなわち、１００はサポート、１０１はブラケット、１０２は器具支持具、１０３は棚部材であるガラス棚、１０４は器具支持具１０２に取付けられた棚下照明器具である。
器具支持具１０２はブラケット１０１に被さるように係止する係合部１０２ａを有し、その側面にねじ孔１０５を有するもので、係合部１０２ａをブラケット１０１に被せ、ねじ孔１０５に押しねじ１０６をねじ込んで押しねじ１０６の先端でブラケット１０１の側面を押圧し、これにより器具支持具１０２をブラケット１０１に固定している。なお、ガラス棚１０３は棚下照明器具１０４にオーバーハングしている。
【０００３】
【発明が解決しようとする課題】
しかし、この棚装置は、ブラケット１０１の被取付物である器具支持具１０２を押しねじ１０６で固定するため、組立施工が煩雑であり、また押しねじ１０６の緩みなどにより器具支持具１０２およびこれに支持された棚下照明器具１０４等が落下するおそれがあり、不安定であった。
【０００４】
したがって、この発明の目的は、組立が簡単になり、しかも被取付物を安定した状態で固定することができる棚装置を提供することである。
【０００５】
【課題を解決するための手段】
請求項１の棚装置は、複数のサポートと、これらのサポートにそれぞれ後端部が支持された縦姿勢の板状であって先端に孔を形成したブラケットと、これらのブラケットに支持された棚部材と、前記ブラケットの前記孔に挿入する引掛部を有し前記孔に対して前記引掛部を回動することにより前記ブラケットの上端に係止する係合部を有する器具支持具とを備えたものである。
【０００６】
請求項２の棚装置は、請求項１において、前記器具支持具が、前記ブラケットの側面内で前記孔を中心に回動して前記ブラケットに係止するものである。
請求項３の棚装置は、請求項１において、前記器具支持具が、前記ブラケットの側面に垂直な方向に回動して前記ブラケットに係止するものである。
請求項４の棚装置は、複数のサポートと、これらのサポートにそれぞれ後端部が支持された縦姿勢の板状であって先端に孔を形成したブラケットと、前記孔に摺動自在に貫通した支持具と、これらの支持具に両端が外嵌する筒状のバーと、このバーを前記支持具に止めるねじとを備えたものである。
【０００７】
請求項５の棚装置は、縦姿勢の板状であって横方向にずれた複数の係止爪を後端部に有する複数のブラケットと、前記複数の係止爪をそれぞれ係止する複数の係止孔を前面に有する複数のサポートと、前記複数のブラケットに支持される棚部材とを備えたものである。
請求項６の棚装置は、請求項５において、前記ブラケットが、前記係止爪の各々を後端部に一体に形成した複数の垂直部と、これらの垂直部の上下方向の隣接端を連接する段部とを有するものである。
【０００８】
請求項７の棚装置は、縦方向に延びた係止レールおよびこの係止レールに沿って設けた複数の係止孔を前面に有する複数のサポートと、前記係止孔に係止する係止爪および前記係止レールに係合する係止部をそれぞれ後端部に有する複数のブラケットと、これらのブラケットに支持される棚部材とを備えたものである。
【０００９】
【作用】
請求項１の棚装置によれば、複数のサポートに支持された複数のブラケット間に棚部材を支持し、また器具支持具に棚下照明器具等を取付けて使用される。この場合、ブラケットの孔に引掛部を挿入し引掛部を回動することにより係合部をブラケットの上端に係止するため、器具支持具の取付けに従来の押しねじが不要であるので組立施工性が向上し、また押しねじの緩み等による器具支持具等の落下のおそれがなく、安定した状態で被取付物を固定することができる。
【００１０】
請求項２の棚装置によれば、前記器具支持具が、前記ブラケットの側面内で前記孔を中心に回動して前記ブラケットに係止するため、請求項１と同作用がある。
請求項３の棚装置によれば、前記器具支持具が、前記ブラケットの側面に垂直な方向に回動して前記ブラケットに係止するため、請求項１と同作用がある。
【００１１】
請求項４の棚装置によれば、支持具が孔に摺動自在であるため、ブラケットをシングルスリットのサポートのブラケットに適用することができ、被取付物であるバーを安定して固定することができる。しかもバーの内部に支持具が嵌合するため外観がよい。
請求項５の棚装置によれば、複数の係止爪が水平方向にずれているため、別に横振れ防止部材を必要とすることなく、ブラケットの横振れを防止することができ、被取付物を安定に固定することができるとともに、コストダウンを図れる。また係止爪と係止孔との嵌合強度が増大する。
【００１２】
請求項６の棚装置によれば、請求項５において、前記ブラケットが、前記係止爪の各々を後端部に一体に形成した複数の垂直部と、これらの垂直部の上下方向の隣接端を連接する段部とを有するため、請求項５の作用のほか、ブラケットの強度が向上するとともに、段部に棚部材を支持して棚部材の端口を垂直部により遮へいするので処理が不要であり、また棚部材を段部の表面で受けることができるため、棚部材の強度を向上することができる。
【００１３】
請求項７の棚装置によれば、縦方向に延びた係止レールおよびこの係止レールに沿って設けた複数の係止孔をサポートの前面に有するため、請求項５と同作用がある。
【００１４】
【実施例】
この発明の第１の実施例を図１ないし図５により説明する。すなわち、この棚装置は、サポート１と、ブラケット２と、器具支持具３と、棚部材１６とを有する。
サポート１は、２本の角柱を実施例とし、各々の前面の縦方向にスリット状の係止孔４を形成している。
【００１５】
ブラケット２は、サポート１のそれぞれに後端部が支持された縦姿勢の板状であって、先端に孔５を形成している。実施例のブラケット２は、帯板状で先端が次第に細くなる形状をなしている。
器具支持具３は、ブラケット２の孔５に挿入する引掛部６を有し、孔５に対して引掛部６を回動することにより、ブラケット２の上端に係合する係合部７を有する。実施例では、器具支持具３がブラケット２の側面内で孔５を中心に回動してブラケット２に係止するもので、右用の器具支持具３ａと、左用の器具支持具３ｂからなる。右用の器具支持具３ａは、図４に示すように係合部７と、器具支持部８とから構成されている。係合部７は矩形平板を断面逆Ｕ字形に折曲し、その一側より外方に山形延出部７ａを延出し、その先端に引掛部６を内向き折曲し、他側に連結片１２を外向きに折曲している。器具支持部８はその上部に棚受け部１１を有し、その端部に前後方向移動規制部１１ａを設けている。引掛部６の連結片１２と棚受け部１１の前後方向移動規制部１１ａと反対側の端部とが溶接されて相互に連結されている。棚下照明器具９はその一端が棚受け部１１の下側から器具支持部８に挿入されて、棚下照明器具９の一端を支持する。器具支持部３ｂは、図５に示すようにＵ字形に折曲された器具支持部８′の一端部に外向きの折曲片８ａを形成するとともに、折曲片８ａに貫通孔１５を形成し、一端部の外面と図４と同構成の係合部７の連結片１２とを溶接している。また折曲片８ａの貫通孔１５に座金１４を介して棚受け部１１′の端部の孔１１′ｂを重ね、回転軸となるリベット１０をこれらに貫通してかしめ連結し、これにより棚板受け部１１′を水平方向に回転自在に構成している。１１′ａは前後方向移動規制部である。棚板受け部１１′が図１の想像線のように回動することにより器具支持部８′に棚下照明器具９の他端を載置し、棚板受け部１１′を回転して戻すだけで棚下照明器具９を固定することができる。１３は棚受け部１１′に設けたマットである。
【００１６】
図３は、器具支持具の取付け手順を示している。（ａ）はブラケット２の上方から引掛部６を孔５に臨ませている。（ｂ）は引掛部６を孔５に挿入し、矢印のように器具支持具３を回動している。（ｃ）は係合部７がブラケット２の上端に係止している。これにより係合部７がブラケット２に固定されることとなる。棚部材１６は、一対のブラケット２に支持される。実施例ではガラス棚を用いてる。
【００１７】
この棚装置は、複数のサポート１に支持された複数のブラケット２間に棚部材１６を支持し、また器具支持具３に棚下照明器具９等を取付けて使用される。
この実施例によれば、ブラケット２の孔５に引掛部６を挿入し引掛部６を回動することにより係合部７をブラケット２の上端に係止するため、器具支持具３の取付けに従来の押しねじが不要であるので組立施工性が向上し、また押しねじの緩み等による器具支持具３等の落下のおそれがなく、安定した状態で被取付物を固定することができる。
【００１８】
この発明の第２の実施例を図６ないし図８に示す。すなわち、この棚装置は、第１の実施例において、器具支持具３がブラケット２の側面に垂直な方向に器具支持具３を回動してブラケット２に係合するものである。実施例では、孔５がブラケット２の長手方向に延びたスリット状に形成され、引掛部６が孔５に挿入可能な断面Ｌ字形の板状に形成され、係合部７は断面略Ｌ字形の杆状に形成され、その一片の先端の側部により前記形状の引掛部６が延出している。この係合部７の後端を第１の実施例と同構成の各器具支持具３ａ，３ｂの一端部に溶接により一体に連結している。
【００１９】
図６に示すように引掛部６の先端を水平姿勢にして孔５にＬ字屈曲部の位置まで挿入する。つぎに図７に示すように引掛部６を垂直姿勢に回動すると、係合部７がブラケット２の上端部に係止する。そして、第１の実施例と同様にブラケット２の器具支持部８に棚下照明器具９の一端を挿入し、器具支持部８′の棚受け部１１′を図８の想像線のように回動して器具支持部８′に棚下照明器具９の他端を載置し、棚受け部１１′を回動して棚下照明器具９の上面を押さえ固定する。これにより、器具支持部８，８′の回転が阻止され、器具支持部８，８′がブラケット２に固定されることとなる。その他は第１の実施例と同様である。
【００２０】
この発明の第３の実施例を図９ないし図１４に示す。すなわち、この棚装置は、サポート１と、ブラケット２と、バー２０と、支持具２２とを有する。
複数のサポート１は前面に多数のスリット状の係止孔２５を形成している。実施例のサポート１の係止孔２５は、縦に１列に形成したシングルスリットにしている。
【００２１】
ブラケット２はそれぞれサポート１に後端部が支持された縦姿勢の板状であって、先端に略コ字形の孔２１を形成している。実施例では後端部に係止孔２５に係止する係止爪２６を一体形成している。
支持具２２は、孔２１に摺動自在に貫通する断面コ字形をなしている。実施例では複数のサポート１の中間のものに支持されるブラケット２に取付けられる連結用であって、図９に示す支持具２２ａと、端のサポート１に支持される端用のブラケット２に取付けられるものであって、図１０に示す支持具２２ｂからなっている。連結用の支持具２２ａは、両端の側部にねじ孔を形成し、これらのねじ孔につまみねじ２３を設けている。このつまみねじ２３はつまみ部２３ａと、ねじ部２３ｂと、つまみ部２３ａのねじ部２３ｂ側の段部２３ｃとからなり、それぞれ外径が順次小さくなっている。
【００２２】
棚部材であるバー２０は、支持具２２に両端が外嵌する筒状をなしている。実施例では角筒形をなし、つまみねじ２３に対応して、図１１に示すように側部の両端部に開口するスリット２４を形成している。このスリット２４の幅はつまみねじ２３のねじ部２３ｂの径以上で段部２３ｃの径以下である。またスリット２４の中間部に段部２３ｃの径以上でつまみ部２３ａの径以下の径をもつ半円弧状の切欠２７を両側に相対向するように形成している。またスリット２４の長さＡは図１３に示すようにバー２０の端面をブラケット２に当接して、支持具２２ａをバー２０内に挿入するようにバー２０と反対側のつまみねじ２３をブラケット２に当接するまで移動したときに、他方のつまみねじ２３のねじ部２３ｂがスリット２４内を移動可能な寸法Ａに設定している。また図１２のように一方のつまみねじ２３がブラケット２に当接する位置まで支持具２２ａを一方に移動したときの、ブラケット２から支持具２２ａの端までの最小の突出量Ｂはブラケット２の係止爪２６とサポート１の係止孔２５とのクリアランスによるブラケット２の左右方向（矢印）の振れ幅以下にして、ブラケット２間にバー２０が取付けできるようにしている。
【００２３】
図１０に示す端用のブラケット２は、支持具２２ｂが可動である点は同じであるが、つまみねじ２３を一端側のみに設け、他方は孔２１からの外れを防止する抜止め部（図示せず）を設けている。
図１２ないし図１４は、中間に位置するサポート１に支持される連結用のブラケット２にバー２０，２０′を取付ける取付手順を示す。まず図１０の端用ブラケット２にバー２０の一端を連結する。図１２は支持具２２ａをバー２０から離れる方向に移動するとともに、支持具２２ａにバー２０を整合している。図１３は支持具２２ａをバー２０内に挿入してつまみねじ２３をスリット２４に通しスリット２４に通していないつまみねじ２３がブラケット２に当接するまで支持具２２ａを移動する。この状態でもう一方のバー２０′の一端部を端用ブラケット２の支持具２２ｂに嵌合し、バー２０′の他端部を支持具２２ａに整合する。図１４は支持具２２ａをバー２０′内に支持具２２ａの半分を挿入してつまみねじ２３の段部２３ｃを切欠２７に嵌合し締付けて連結している。
【００２４】
なお、端用ブラケット２の支持具２２ｂは可動ではなく固定でもよい。
この実施例によれば、支持具２２が孔２１に摺動自在であるため、ブラケット２をシングルスリットのサポート１のブラケット２に適用することができ、バー２０，２０′を安定して固定することができる。しかもバー２０，２０′の内部に支持具２２が嵌合するため外観がよい。
【００２５】
この点について、比較例を図１５ないし図２０により説明する。すなわち、まず図１６は３本のサポート３０の各前面に２列に係止孔３１を形成したダブルスリットをもつ棚装置である。ブラケット３２は図１５に示すようにブラケット３２の片面に支持具３３を固定し、支持具３３にバー３４の端部を嵌合している。３５は係止孔３１に係止する係止爪である。
【００２６】
図１７は２本のサポート３０′の各前面に１列の係止孔３１を形成したシングルスリットをもつ棚装置である。この場合も、図１５，図１６と同様な構成のブラケット３２およびバー３４が用いられる。
つぎに、図２０は３本のシングルスリットをもつサポート３０′の棚装置である。この場合、端用のブラケット３２ａは、図１９に示すように支持具３３ａが水平姿勢のバー３４を縦方向に挿入できるＵ字形に形成され、中央の連結用のブラケット３２ｂは図１８に示すように支持具３３ａが両面に形成されている。
【００２７】
図１５ないし図１７の比較例は、支持具３３をバー３４の端部に嵌合するため支持具３３がバー３４の端部に現れないので外観がよいが、図２０に示すシングルスリットの係止孔３１をもつサポート３０′に支持されたブラケット３２ａ，３２ｂの支持具としては、バー３４の一端を嵌合すると他端を嵌合することができないので使用できない。これを可能にするためにはサポート３０′の横揺れを考慮に入れてサポート３０′の相互間隔を広くする必要があるが、バー３４の固定にがたが生じやすく不安定となり、バー３４が外れやすい。これに対して、図１８ないし図２０の比較例は、シングルスリットのサポート３０′はもちろん、図１６に示すダブルスリットのサポート３０にも使用可能であるが、支持具３３ａがバー３４の外部に現れるため、外観が悪いという欠点があった。
【００２８】
この発明の第４の実施例を図２１に示す。すなわち、この棚装置は、サポート４０と、ブラケット４１と、棚部材５０とを有する。
ブラケット４１は、前面に縦姿勢の板状であって、横方向にずれた複数の係止爪４２，４４を後端部に有する。実施例は左右対称な形状のブラケット４１ａ，４１ｂからなる。各々は、係止爪４２，４４が横方向および縦方向の双方にずれており、一方の係止爪４２を後端部に一体に形成した第１の垂直部４５と、他方の係止爪４４を後端部に一体に形成した第２の垂直部４６と、第１の垂直部４５および第２の垂直部４６を連接する段部４７とを有する。さらに第１の垂直部４５の先端は段部４７の前端に立位する前方移動規制片４８を連続して設けている。この場合、ブラケット４１ａ，４１ｂは、第１の垂直部４５の相互間隔が大きく、第２の垂直部４６の相互間隔が小さくなる関係に左右対称に形成されている。
【００２９】
サポート４０は複数の係止爪４２，４４をそれぞれ係止する複数の係止孔４３を前面に有する。実施例の係止孔４３は、連結用を考慮して、係止爪４２，４４がともに係止可能な幅の倍の幅を有する角形に形成され、図２１に示すように部４１ａ，４１ｂを背中合わせにして共通の係止孔４３に係止することができるようにしている。
【００３０】
棚部材５０は、複数のブラケット４１に支持される。実施例では、スチール棚を用い、両側を段部４７に載置している。この場合、第１の垂直部４５により棚部材５０の左右の移動が規制され、前方向移動規制片４８により棚部材５０の前方向の移動が規制され、後方向はサポート４０により規制される。またスチール棚の下面に設けられる補強金具５１の端部は棚部材５０の端口まで延長している。その他、棚部材５０は木棚、ガラス棚等でもよい。
【００３１】
この実施例によれば、複数の係止爪４２，４４が水平方向にずれているため、別に横振れ防止部材を必要とすることなく、ブラケット４１の横振れを防止することができ、被取付物を安定に固定することができるとともに、コストダウンを図れる。また係止爪４２，４４と係止孔４３との嵌合強度が増大する。
また、ブラケット４１が、係止爪４２の各々を後端部に一体に形成した複数の垂直部４５，４６と、これらの垂直部４５，４６の上下方向の隣接端を連接する段部４７とを有するため、ブラケット４１の強度が向上するとともに、段部４７に棚部材５０を支持して棚部材５０の端口を垂直部４５，４６により遮へいするので処理が不要であり、また棚部材５０を段部４７の表面で受けることができるため、棚部材５０の強度を向上することができる。
【００３２】
この実施例についての比較例を、図２２ないし図２６に示し、各図は共通部分に同一符号を付している。図２２は、サポート６０の係止孔６１に係止する係止爪６２を有する一対のブラケット６３の先端６３ａを内向きに折曲して強度をもたせるとともに、ブラケット６３の基端部間に横振れ防止部材６４を架設している。６５はガラス棚、６６は前方向移動規制突起である。しかし、ブラケット６３が縦姿勢の平板状であるため、強度的に弱く、被取付物の固定が不安定であり、そのため横振れ防止部材６４が必要になり、コストアップになる。また図のような形状のブラケット６３はガラス棚専用になる。
【００３３】
図２３は、木棚６７の下面にブラケット６８を収納する収納スリット６９を設けて、ブラケット６８および木棚６７の横振れを防止するとともに、ブラケット６８の先端に前方向移動規制突起７０を設けて収納スリット６９の先端の凹部７１に係止し、これにより木棚６７の前後方向の動きを規制している。しかし、横振れ等の防止のため木棚６７に収納スリット６９が必要でありコストアップになる。
【００３４】
図２４は、スチール棚７５の両側に妻板７６を設け、下面に補強金具７８を設け、妻板７６と補強金具７８の端部との間にブラケット６８を挿入できる隙間７７を形成している。妻板７６によりスチール棚７５の横からの外観を美しくするとともにブラケット６８の横振れを防止することができる。しかし、妻板７６が必要であるため、コストアップになった。
【００３５】
図２５および図２６は、サポート６０に支持するブラケット６８の先端側部に支持具８０を設け、支持具８０に角形のバー８１の両端の開口を嵌合してバー８１を固定している。また図２６の矢印で示すようにブラケット６８が水平方向の左右に振れるのを防止するため、ブラケット６８間に横振れ防止部材６４を架設している。しかし、横振れ防止部材６４が必要なためコストアップになった。
【００３６】
この発明の第５の実施例を図２７に示す。すなわち、この棚装置は、棚部材５０がバー８６の場合であり、ブラケット４８の第１の垂直部４５にコ字形の支持具８５を設け、支持具８５にバー８６の端部を外嵌している。その他のブラケット４１およびサポート４０の構成は第４の実施例と同様であり、共通部分に同一符号を付している。
【００３７】
この発明の第６の実施例を図２８に示す。すなわち、この棚装置は、第４の実施例において、ブラケット４１にさらに別の係止爪８８を有する第３の垂直部８９を設け、段部４７と同じ幅で段部４７に向かい合う第２の段部９０で第３の垂直部８９と第２の垂直部４６とを連接している。したがって、第３の垂直部８９は第１の垂直部４５と同一平面内にあり、係止爪４２，８８も同一平面上にある。またサポート４０は係止爪４２，８８を係止する係止孔４３ａと、係止爪４４を係止する係止孔４３ｂと、係止孔４３ｂを間にして係止孔４３ａと反対側の対称位置に係止孔４３ｃを前面に形成している。この場合、係止孔４３ｂはブラケット４１の厚さの２倍の幅を有し、他はブラケット４１の厚さと同程度の幅を有する。これにより３本のサポート４０のうちの真ん中のサポート４０に取付ける一対のブラケット４１を背中合わせやあるいは向かい合わせにしてサポート４０に一対のブラケット４１を取付けることもできる。また各段部４７，９０に棚部材５０を載置することができる。
【００３８】
この発明の第７の実施例を図２９に示す。すなわち、この棚装置は、第６の実施例において、第２の段部９０を段部４５に対して階段状となるように形成している。このため、第１の垂直部４５および第３の垂直部８９は同一平面上になく、係止爪４２，８８も同一平面上にない。またサポート４０は係止爪４２が係止する係止孔４３ｄ、係止爪４４が係止する係止孔４３ｅ、係止爪８８が係止する係止孔４３ｆを形成するとともに、係止孔４３ｄ，４３ｅの幅をブラケット４１の板厚にほぼ等しくし、係止孔４３ｆの幅をブラケット４１の板厚の２倍に形成し、かつ係止孔４３ｆを中心として係止孔４３ｅ，４３ｄに対称な位置に係止孔４３ｄ′，４３ｅ′を形成している。これにより、図２１のブラケット４１の一対の左右対称な形状と同様に、第１の垂直ブラケット４５、第２の垂直ブラケット４６、第３の垂直部８９および前方移動規制片４８について、左右対称に形成した一対のブラケット４１を共通のサポート４０に支持させることができる。
【００３９】
この発明の第８の実施例を図３０に示す。すなわち、この棚装置は、第６の実施例において、縦姿勢の平板により形成したブラケット４１が、多数の係止爪８８ａ〜８８ｆを連続して設け、各係止爪８８ａ〜８８ｆを有する垂直部８９ａ〜８９ｆを段部９０ａ〜９０ｅを介して一体に連結し、段部９０ａ〜９０ｅは全て垂直方向に相対向するように設けている。４８ａ〜４８ｅは垂直部８９ａ〜８９ｅに折曲されて段部９０ａ〜９０ｅの前端部を塞ぐ前方移動規制片である。
【００４０】
この実施例によれば、ブラケット４１の両側において各段部９０ａ〜９０ｅに交互に棚板５０ａ，５０ｂの端部を載置することができ、複数段の棚を設けることができる。その他は、第６の実施例と同様である。
この発明の第９の実施例を図３１に示す。すなわち、この棚装置は、ブラケット４１が縦姿勢の板状であって後端部の横方向にずれた複数の係止爪４４を後端部に有するものである。実施例の係止爪４２，４４は、縦方向および横方向にずれたもので、上側の係止爪４２はブラケット４１の本体と同一平面上に形成されているが、係止爪４４はブラケット４１の後端部から板厚方向に折曲されてサポート５０の前面に平行に延びた折曲片９１を介して設けている。なお、実施例では左右のブラケットのもう一方について図示していないが、各ブラケット４１は係止爪４４について左右対称に形成されてもよく、また左右とも同一に形成されてもよい。
【００４１】
サポート４０およびその他の構成は、第６の実施例と同様である。
この実施例によれば、別に横振れ防止部材を必要とすることなく、ブラケット４１の横振れを防止することができ、被取付物である棚部材を安定に固定することができるとともに、コストダウンを図れる。また係止爪４２，４４と係止孔４３との嵌合強度が増大する。
【００４２】
またサポート４０の前面と折曲片９１の表面で接触するため、取付強度を強くできる。
この発明の第１０の実施例を図３２に示す。すなわち、この棚装置は、サポート４０ａが前面に縦方向に延びた係止レール９３およびこの係止レール９３に沿って設けた複数の係止孔４３を有する。実施例では係止レール９３が係止孔４３の両側に設けられている。
【００４３】
また左右のブラケット４１ａ，４１ｂは係止孔４３に係止する係止爪４２および係止レール９３に係止する係止部９５をそれぞれ後端部に有する。実施例のブラケット４１ａ，４１ｂは第６の実施例と同様に嵌合部９５および係止爪４２を後端部に有する垂直部４５，４６を有しこれらを水平な段部４７により連結している。このうちブラケット４１ａは左側用であり、ブラケット４１ｂは右側用であって垂直部４５に対する垂直部４６の突出方向が互いに左右対称に形成されている。
【００４４】
この実施例によれば、係止爪４２を係止孔４３に係止するとともに、係止レール９３に係止部９５を係止することにより、ブラケット４１ａ，４１ｂがサポート４３に取付けられ、係止爪４２と係止部９５とによりブラケット４１ａ，４１ｂの横振れが防止される。したがって、棚部材５０を段部４７に載せるだけでよく横振れ防止手段を別に必要としない。その他の構成および作用効果は第４の実施例と同様である。
【００４５】
この発明の第１１の実施例を図３３に示す。すなわち、この棚装置は、第１０の実施例において、第５の実施例（図２７）と同様に垂直部４５に支持具８５を設けたもので、支持具８５間に棚部材であるバー８６を支持するものである。その他は第５の実施例と同様である。
この発明の第１２の実施例を図３４に示す。すなわち、この棚装置は、第１０の実施例において、第６の実施例（図２８）と同様に、ブラケット４１にさらに係止爪８８を有する第３の垂直部８９を設け、段部４７に向かい合う第２の段部９０で第３の垂直部８９と第２の垂直部４６とを連結している。第３の垂直部８９は第１の垂直部４５と同一平面内にあり、したがって係止爪４２，８８も同一平面上にある。
【００４６】
その他は第６の実施例および第１０の実施例と同様である。
この発明の第１３の実施例を図３５に示す。すなわち、この棚装置は、第１０の実施例において、第９の実施例（図３１）と同様に、ブラケット４１の後端部に折曲部９１を形成し、折曲部９１に係止レール９３に係止する係止部９５を形成したものである。ただし、左右のブラケット４１ａ，４１ｂは係止部９５を左右対称に形成している。その他は、第９の実施例および第１０の実施例と同様である。
【００４７】
【発明の効果】
請求項１の棚装置によれば、複数のサポートに支持された複数のブラケット間に棚部材を支持し、また器具支持具に棚下照明器具等を取付けて使用される。この場合、ブラケットの孔に引掛部を挿入し引掛部を回動することにより係合部をブラケットの上端に係止するため、器具支持具の取付けに従来の押しねじが不要であるので組立施工性が向上し、また押しねじの緩み等による器具支持具等の落下のおそれがなく、安定した状態で被取付物を固定することができるという効果がある。
【００４８】
請求項２の棚装置によれば、前記器具支持具が、前記ブラケットの側面内で前記孔を中心に回動して前記ブラケットに係止するため、請求項１と同効果がある。
請求項３の棚装置によれば、前記器具支持具が、前記ブラケットの側面に垂直な方向に回動して前記ブラケットに係止するため、請求項１と同効果がある。
【００４９】
請求項４の棚装置によれば、支持具が孔に摺動自在であるため、ブラケットをシングルスリットのサポートのブラケットに適用することができ、被取付物であるバーを安定して固定することができる。しかもバーの内部に支持具が嵌合するため外観がよい。
請求項５の棚装置によれば、複数の係止爪が水平方向にずれているため、別に横振れ防止部材を必要とすることなく、ブラケットの横振れを防止することができ、被取付物を安定に固定することができるとともに、コストダウンを図れる。また係止爪と係止孔との嵌合強度が増大する。
【００５０】
請求項６の棚装置によれば、請求項５において、前記ブラケットが、前記係止爪の各々を後端部に一体に形成した複数の垂直部と、これらの垂直部の上下方向の隣接端を連接する段部とを有するため、請求項５の効果のほか、ブラケットの強度が向上するとともに、段部に棚部材を支持して棚部材の端口を垂直部により遮へいするので処理が不要であり、また棚部材を段部の表面で受けることができるため、棚部材の強度を向上することができる。
【００５１】
請求項７の棚装置によれば、縦方向に延びた係止レールおよびこの係止レールに沿って設けた複数の係止孔をサポートの前面に有するため、請求項５と同効果がある。
【図面の簡単な説明】
【図１】この発明の第１の実施例の分解斜視図である。
【図２】組立状態の部分斜視図である。
【図３】器具支持具をブラケットに取付ける手順を説明する説明図である。
【図４】器具支持具の一方の分解斜視図である。
【図５】器具支持具の他方の分解斜視図である。
【図６】第２の実施例の器具支持具をブラケットに取付ける前の斜視図である。
【図７】器具支持具をブラケットに取付けた状態の斜視図である。
【図８】他方の器具支持具のブラケット取付状態の斜視図である。
【図９】第３の実施例の中間連結用のブラケットを示す分解斜視図である。
【図１０】端用ブラケットを示す斜視図である。
【図１１】棚部材であるバーの部分側面図である。
【図１２】バーの取付け手順において一方のバーの取付け前の状態の部分断面図である。
【図１３】他方のバーの取付け前の状態の部分断面図である。
【図１４】一対のバーの取付完了状態の部分断面図である。
【図１５】比較例の部分斜視図である。
【図１６】ダブルスリットの３本のサポートにブラケットおよびバーを取付けた状態の平面図である。
【図１７】シングルスリットの２本のサポートにブラケットおよびバーを取付けた状態の平面図である。
【図１８】他の比較例の中間連結用ブラケットの斜視図である。
【図１９】その端用ブラケットの斜視図である。
【図２０】シングルスリットの３本のサポートにブラケットおよびバーを取付けた状態の平面図である。
【図２１】第４の実施例の分解斜視図である。
【図２２】その比較例のガラス棚を用いた場合の分解斜視図である。
【図２３】他の比較例の木棚を用いた場合の分解斜視図である。
【図２４】その他の比較例のスチール棚を用いた場合の分解斜視図である。
【図２５】その他の比較例のバーを用いた場合の分解斜視図である。
【図２６】そのブラケットの横振れを説明する平面図である。
【図２７】第５の実施例の分解斜視図である。
【図２８】第６の実施例の部分斜視図である。
【図２９】第７の実施例の部分斜視図である。
【図３０】第８の実施例の分解斜視図である。
【図３１】第９の実施例の部分斜視図である。
【図３２】第１０の実施例の分解斜視図である。
【図３３】第１１の実施例の分解斜視図である。
【図３４】第１２の実施例の部分斜視図である。
【図３５】第１３の実施例の部分斜視図である。
【図３６】従来例の平面図である。
【図３７】その斜視図である。
【図３８】器具支持具の取付けを説明する分解斜視図である。
【符号の説明】
１    サポート
２    ブラケット
３    器具支持具
５    孔
６    引掛部
７    係合部
１６    棚部材
【図１】
0003577771.tif 000002
【図２】
0003577771.tif 000003
【図３】
0003577771.tif 000004
【図４】
0003577771.tif 000005
【図５】
0003577771.tif 000006
【図６】
0003577771.tif 000007
【図７】
0003577771.tif 000008
【図８】
0003577771.tif 000009
【図９】
0003577771.tif 000010
【図１０】
0003577771.tif 000011
【図１１】
0003577771.tif 000012
【図１２】
0003577771.tif 000013
【図１３】
0003577771.tif 000014
【図１４】
0003577771.tif 000015
【図１５】
0003577771.tif 000016
【図１６】
0003577771.tif 000017
【図１７】
0003577771.tif 000018
【図１８】
0003577771.tif 000019
【図１９】
0003577771.tif 000020
【図２０】
0003577771.tif 000021
【図２１】
0003577771.tif 000022
【図２２】
0003577771.tif 000023
【図２３】
0003577771.tif 000024
【図２４】
0003577771.tif 000025
【図２５】
0003577771.tif 000026
【図２６】
0003577771.tif 000027
【図２７】
0003577771.tif 000028
【図２８】
0003577771.tif 000029
【図２９】
0003577771.tif 000030
【図３０】
0003577771.tif 000031
【図３１】
0003577771.tif 000032
【図３２】
0003577771.tif 000033
【図３３】
0003577771.tif 000034
【図３４】
0003577771.tif 000035
【図３５】
0003577771.tif 000036
【図３６】
0003577771.tif 000037
【図３７】
0003577771.tif 000038
【図３８】
0003577771.tif 000039